(57)【要約】【課題】複数の患者に使用する際に交差感染の恐れがなく、安全に使用できる口腔洗浄器を提供すること。【解決手段】洗浄液供給管３と、廃液吸引管４とを有する清掃ヘッド２を備えた口腔洗浄器１において、洗浄液供給管３へ接続する洗浄液供給管接続部69と廃液吸引管４へ接続する廃液吸引管接続部64とを有するグリップ６と、清掃ヘッド２の先端部に設ける清掃部材５とを備え、洗浄液供給管接続部端部69aと廃液吸引管接続部端部64aとを同一平面外又は非連続面に設けたことにより、洗浄液供給管接続部端部69ａの汚染防止ができ、清掃ヘッド２の着脱の際には、雑菌を含んだ吸引液がグリップ６の洗浄液供給管接続部端部69ａに接して注水液を汚染し、複数の患者に対して口腔洗浄を行う際に、前の患者の菌が次の患者の注水液を介して感染することなく、交差感染をひき起こす可能性を低減させ、衛生上の安全性を十分に確保することが可能である。【選択図】図２
2008119147.tif 000002
【特許請求の範囲】
【請求項１】
洗浄液を口腔内へ供給する洗浄液供給管と、廃液を口腔内から吸引する廃液吸引管とを有する清掃ヘッドを備えた口腔洗浄器において、
前記洗浄液供給管へ接続する洗浄液供給管接続部と前記廃液吸引管へ接続する廃液吸引管接続部とを有するグリップと、
前記清掃ヘッドの先端部に設ける清掃部材とを備え、
前記洗浄液供給管接続部端部と前記廃液吸引管接続部端部とを同一平面外又は非連続面に設けたことを特徴とする口腔洗浄器。
【請求項２】
前記洗浄液供給管接続部端部と前記廃液吸引管接続部端部との位置関係が可動なことを特徴とする請求項１に記載の口腔洗浄器。
【請求項３】
前記清掃ヘッドに、口腔洗浄中の廃液が前記洗浄液供給管接続部端部に伝わることを防ぐ障壁を備えたことを特徴とする請求項１又は２に記載の口腔洗浄器。
【請求項４】
前記グリップに注水スイッチを備え、該注水スイッチを前記グリップに着脱可能に設けたことを特徴とする請求項１〜３のいずれか１項に記載の口腔洗浄器。
【発明の詳細な説明】
【技術分野】
【０００１】
本発明は、介護用の口腔洗浄に用いられる口腔洗浄器に関する。
【背景技術】
【０００２】
高齢化社会の進展に伴い、自分でうがいや歯みがきができない要介護老人が増加しているが、その要介護老人の口臭や、口腔内の細菌などが気管に入って発症する誤嚥性肺炎が問題になっている。特に、高齢者の死亡原因の中で肺炎は最も死亡率が高いこともあり、要介護老人の口腔衛生に関する適切な対策が求められている。
【０００３】
要介護老人の口腔衛生に用いることのできる従来の口腔洗浄器としては、例えば特許文献１，特許文献２に開示されるように、清掃ヘッドに清掃部材を設け、その内部に洗浄液供給管と、廃液吸引管を備えているものが知られている。そして、この口腔洗浄器は、洗浄液供給管から水や洗浄液を被介護者の口腔内へ供給し、口腔洗浄後の廃液を廃液吸引管から吸引するようになっている。
【０００４】
ところが、従来の口腔洗浄器では清掃ヘッドとグリップの着脱を容易にするためグリップの洗浄液供給管接続部端部と廃液吸引管接続部端部が同一面上の近い位置に配置されていた。このために、清掃ヘッドの着脱の際に、雑菌を含んだ吸引液がグリップの面を伝い、又は、清掃ヘッドの着脱の際に、雑菌を含んだ吸引液が飛散ることにより、注水口に接して注水液に感染し、複数の患者に対して口腔洗浄を行う際には、注水液を介して前の患者の菌が次の患者に感染する、交差感染をひき起こす恐れがあった。
【０００５】
また、従来の口腔洗浄器では清掃ヘッドとグリップの着脱を容易にするためグリップの洗浄液供給管接続部端部と廃液吸引管接続部端部が近接した位置で固定されていたので、汚れた廃液吸引管接続部端部を洗浄する際に近傍にある洗浄液供給管接続部端部に、作業者の手や清掃具が洗浄液供給管接続部端部に接して洗浄液供給管接続部端部を汚染し、複数の患者に対して口腔洗浄を行う際に、前の患者の菌が次の患者に注水液を介して感染する、交差感染をひき起こす恐れがあった。
【０００６】
さらに、従来の口腔洗浄器ではグリップに電気部品である注水スイッチが固定されていたため、グリップ全体を洗浄又は消毒する際に注水スイッチを外すことができず、現場で容易に行える薬液浸漬による洗浄、殺菌ができなかった。強いて行うにはガス滅菌又は電子線等の現場では容易に行えない処理しかなかった。
【０００７】
その上、従来の口腔洗浄器では、汚れた液体が口腔洗浄中に清掃ヘッドの柄を伝ってグリップの洗浄液供給管接続部端部に達し、洗浄液供給管接続部端部が汚染され、複数の患者に対して口腔洗浄を行う際に、前の患者の菌が次の患者に注水液を介して感染する、交差感染をひき起こす恐れがあった。
【０００８】
その上さらに、従来の口腔洗浄器では、清掃ヘッドをグリップから取り外す際には、清掃ヘッドを捻じって抜くため、作業者は清掃ヘッドを手でしっかり掴み、力をいれて捻じる必要があった。そのため女性の作業者の手では、清掃ヘッドを外す作業が大変であった。
【特許文献１】特開平１１−１７８８４４号公報
【特許文献２】特願２００６−１１６１３８号公報
【発明の開示】
【発明が解決しようとする課題】
【０００９】
本発明は上記問題点に鑑み、複数の患者に使用する際に交差感染の恐れがなく、安全に使用できる口腔洗浄器を提供することをその目的とする。
【課題を解決するための手段】
【００１０】
本発明の請求項１記載の口腔洗浄器は、洗浄液を口腔内へ供給する洗浄液供給管と、廃液を口腔内から吸引する廃液吸引管とを有する清掃ヘッドを備えた口腔洗浄器において、前記洗浄液供給管へ接続する洗浄液供給管接続部と前記廃液吸引管へ接続する廃液吸引管接続部とを有するグリップと、前記清掃ヘッドの先端部に設ける清掃部材とを備え、前記洗浄液供給管接続部端部と前記廃液吸引管接続部端部とを同一平面外又は非連続面に設けたものである。
【００１１】
本発明の請求項２記載の口腔洗浄器は、請求項１において、前記洗浄液供給管接続部端部と前記廃液吸引管接続部端部との位置関係が可動なものである。
【００１２】
本発明の請求項３記載の口腔洗浄器は、請求項１又は２において、前記清掃ヘッドに、口腔洗浄中の廃液が前記洗浄液供給管接続部端部に伝わることを防ぐ障壁を備えたものである。
【００１３】
本発明の請求項４記載の口腔洗浄器は、請求項１〜３において、前記グリップに注水スイッチを備え、該注水スイッチを前記グリップに着脱可能に設けたものである。
【発明の効果】
【００１４】
本発明の請求項１記載の口腔洗浄器によれば、グリップの洗浄液供給管接続部端部と廃液吸引管接続部端部を同一面上にない位置に配置し、グリップを伝って吸引液が洗浄液供給管接続部端部に接しない構造にしたため、洗浄液供給管接続部端部の汚染防止ができ、清掃ヘッドの着脱の際には、雑菌を含んだ吸引液がグリップの洗浄液供給管接続部端部に接して注水液を汚染し、複数の患者に対して口腔洗浄を行う際に、前の患者の菌が次の患者の注水液を介して感染することなく、交差感染をひき起こす可能性を低減させ、衛生上の安全性を十分に確保することが可能である。
【００１５】
本発明の請求項２記載の口腔洗浄器によれば、グリップの洗浄液供給管接続部端部と廃液吸引管接続部端部は可動式でその位置関係を遠ざける方向に離すことができる構造なので、グリップの洗浄時に汚れた廃液吸引管接続部端部を洗浄する際に近傍にある洗浄液供給管接続部端部に作業者の手、洗浄液や清掃具が接する事なく、洗浄液供給管接続部端部を衛生的に保つ事ができるため、複数の患者に対して口腔洗浄を行う際に前の患者の菌が次の患者の注水液を介して感染する交差感染をひき起こす可能性を低減させ、衛生上の安全性を十分に確保することが可能である。
【００１６】
本発明の請求項３記載の口腔洗浄器によれば、清掃ヘッドに障壁が設けられているため、口腔洗浄中に清掃ヘッドの柄を伝わってくる汚れた液体が、グリップの洗浄液供給管接続部端部に達しないため、洗浄液供給管接続部端部を衛生的に保つ事ができ、複数の患者に対して口腔洗浄を行う際に前の患者の菌が次の患者に注水液を介して感染する、交差感染を引き起こす可能性を低減させ、衛生上の安全性を十分に確保することが可能である。
【００１７】
本発明の請求項４記載の口腔洗浄器によれば、グリップは電気部品である注水スイッチが着脱可能な構造であるためグリップ全体を洗浄又は消毒する際に薬液に浸透させて洗浄、殺菌が容易に行うことが可能である。
【発明を実施するための最良の形態】
【００１８】
以下、本発明における好ましい実施例について、添付図面を参照しながら説明する。
【実施例１】
【００１９】
以下、本発明における口腔洗浄器の第１実施例について、図１乃至図10を参照しながら説明する。図１は本発明に係わる口腔洗浄器の一実施形態を示す全体斜視図である。１は口腔洗浄器の本体であり、この内部には図示しないが、廃液を吸引するための廃液吸引ポンプ、吸引管路の詰まりを監視するための風量センサ、廃液吸引ポンプなどの動作を制御するための制御手段などが備えられている。また、２は清掃ヘッドであり、洗浄液を口腔内へ供給する洗浄液供給管３と、廃液を口腔内から吸引する廃液吸引管４とが一体形成され、清掃ヘッド２の先端には通水性の多孔質材料としてのウレタンフォームなどからなる略直方体形状の清掃部材５を備えている。そして、清掃ヘッド２はグリップ６の先端側に取り付けられている。なお、清掃ヘッド２及びグリップ６についての詳細な構成については、後述する。
【００２０】
グリップ６の側部には、注水スイッチ７が設けられている。また、グリップ６の基端側からは、洗浄液供給管３と連通する注水チューブ８と、廃液吸引管４と連通する吸引チューブ９と、注水スイッチ７からの電気信号を本体１の制御手段へ伝えるための信号線10とが延設されている。信号線10は本体１の正面に設けられた接続端子11に、着脱自在に接続されている。なお、12はグリップ６を吊下げ保持するためのグリップホルダである。14は注水チューブ８，吸引チューブ９，信号線10を保持するためのチューブ保持部である。
【００２１】
グリップ６の他端側から延設した注水チューブ８は、図示しないコネクタを介して口腔洗浄器本体側の注水チューブ８’に接続し、次いで注水チューブ８’が洗浄液供給ポンプ15の一端側に接続し、洗浄液供給ポンプ15の他端側は給水チューブ16を経由して、口腔洗浄液を貯蔵する第１の洗浄液用カップ17に接続している。そして、グリップ６に設けられた注水スイッチ７を押しているときだけ洗浄液供給ポンプ15が動作し、第１の洗浄液用カップ17に貯蔵された洗浄液が清掃ヘッド２へ供給されるようになっている。また、第１の洗浄液用カップ17と並列して、口腔洗浄器の使用後に注水チューブ８，８’や吸引チューブ９，９’およびグリップ６の先端側等を洗浄するための装置洗浄液を貯蔵する第２の洗浄液用カップ18が配置されている。なお、第１の洗浄液用カップ17および第２の洗浄液用カップ18は、使い捨て又は、洗浄して再使用できる容器で構成され、給水チューブ16の先端は、第１の洗浄液用カップ17及び第２の洗浄液用カップ18に差込易いように硬い材質からなっている。
【００２２】
また、吸引チューブ９は、グリップ６の基端側から逆止弁36を中間に介して廃液を貯蔵する廃液用ボトル19の蓋20へ接続し、吸引チューブ９’は、廃液用ボトル19の蓋20から口腔洗浄器本体１へ接続している。図７に示すように逆止弁36は、吸引チューブ９に連通するように設けられたケーシング36ａ内部に、可撓性を有する合成樹脂又は、ゴム材からなる円筒形状の逆止弁本体36ｂを備えている。この逆止弁本体36ｂは、円筒の一側開口部たる廃液用ボトル側開口部をグリップ６側から廃液用ボトル19側にかけて幅狭に形成したスリット孔36ｃを備えている。そして、蓋20を廃液用ボトル19へ嵌合させることによって、廃液用ボトル19の気密性が保たれるようになっている。また、蓋20には、本体１の内部に設けられた吸引ポンプに対し本体１の一面に備えられたエアフィルタ27を介して吸引チューブ９’を接続する吸引ポンプ接続コネクタ21と、廃液用ボトル19の液量を検知するための液量検知手段22と、液量検知手段22と本体１とを液量検知接続線26を介して接続する接続部23を固定するための固定手段24とが設けられている。なお、この液量検知手段22は、２本の金属棒が廃液に触れることによって液面を検知し、この検知信号が液量検知接続線26を介して図示しない制御手段により受信されるようになっている。また、排気は吸引ポンプの吸気側に設けられたエアフィルタ27を通過した後に吸引ポンプにより吸引されて排出するように構成され、吸引管路の詰まり及びフィルタ詰まりによる吸引異常を検知する図示しない風量センサが設けられている。さらに、蓋20に接続される液量検知手段の接続部23や吸引ポンプ接続コネクタ21などの接続口は差込式となっている。
【００２３】
本体１の上面に設けられた操作パネル29には、運転を始動するための運転始動ボタン30と、運転を停止するための運転停止ボタン31と、運転が正常に行われているときに点灯する運転中表示ＬＥＤ32と、廃液吸引ポンプにより吸引が正常に行なわれているときに点灯する吸引中表示ＬＥＤ33と、廃液用ボトル19の廃液が満杯になったときに点灯する廃液満杯時点灯ＬＥＤ34と、吸引異常時に点灯する吸引異常時点灯ＬＥＤ35と、洗浄液供給ポンプ15の注水量を選択するための注水液量（少）選択ボタン38，注水液量（中）選択ボタン39，注水液量（多）選択ボタン40と、洗浄液供給ポンプ15により洗浄液送出が最小値に設定されたときに点灯する注水量（少）表示ＬＥＤ41，中位に設定されたときに点灯する注水量（中）表示ＬＥＤ42，最大値に設定されたときに点灯する注水量（多）表示ＬＥＤ43とが設けられている。さらに、本体１の別の側面には、第１の洗浄液用カップ17，第２の洗浄液用カップ18，廃液用ボトル19を収納可能に設けられた収納部45が設けられ、この収納部45には、その開口部に取り付け可能な透明又は半透明な樹脂製のカバー部材46が設けられている。本体１のさらに別の側面には図示しない主電源スイッチや電源差込口などが設けられている。また、本体１には、本体１を持ち運ぶためのハンドル47が設けられている。また、注水チューブ８，８’や吸引チューブ９，９’などは本体１の外部に取り付けられている。
【００２４】
続いて、図２〜図６に基づいて清掃ヘッド２及びグリップ６を説明する。清掃ヘッド２およびグリップ６の断面図を示す図２において、清掃ヘッド２には、洗浄液供給管３と廃液吸引管４とが長手方向に向って２列に並べて設けられ、清掃ヘッド２は、合成樹脂による一体成型体により形成されている。
【００２５】
廃液吸引管４の先端側開口部４ａは、廃液吸引管４の基端側開口部４ｂより広径な貫通口を形成している。一方、洗浄液供給管３は、廃液吸引管４よりも小径となっている。洗浄液供給管３の先端側開口部３ａは、廃液吸引管４の先端側開口部４ａより約１０〜１５ｍｍほど清掃へッド２の基端側に位置しており、洗浄液を供給するための所定の隙間54を有している。また、廃液吸引管４の先端側開口部４ａは、清掃部材５の先端部５ａよりも３ｍｍほど清掃部材５の内部側に位置しており、廃液吸引管４の先端側開口部４ａが外部と連通するように構成されている。
【００２６】
清掃ヘッド２の基端には、廃液吸引管４の基端側開口部４ｂが形成され、この廃液吸引管４の基端側開口部４ｂから約１０〜２０ｍｍ清掃ヘッド２の先端側には洗浄液供給管３の基端側開口部３ｂが形成されている。
【００２７】
ここで、廃液吸引管４の基端側開口部４ｂが清掃ヘッド２の長手方向に対し平行に形成されているのに対し、洗浄液供給管３の基端側開口部３ｂは清掃ヘッド２の長手方向に対し直交するように外側に突出して形成されている。
【００２８】
清掃ヘッド２の先端から清掃ヘッド２の長手方向に対し約７０〜８０ｍｍ清掃ヘッド２の基端側には、清掃ヘッド２の長手方向に直交するように形成された鐔状の障壁55が備えられており、障壁55の一側を清掃ヘッド２の長手方向に対し直交する方向において洗浄液供給管３の基端側開口部３ｂよりさらに外側に突出するように形成されたものである。
【００２９】
また、清掃ヘッド２の基端の外周面には、後述するグリップ６に形成される立壁部65,65に対し平行な面として形成された回り止め部56が形成されている。
【００３０】
そして、清掃部材５は、清掃ヘッド２の先端に設けられ、清掃ヘッド２とは接着剤で接着されて一体固定されている。この清掃部材５は、ポリエチレンフォームなどの樹脂からなるスポンジで構成されている。なお、本実施例ではスポンジから清掃部材５を構成したが、通水性の多孔質材料であればこれに限らず、例えば、その他、天然素材などからなるスポンジ、抗菌作用や消臭作用を有する成分を配合したポリウレタンフォーム、あるいは、布，ガーゼ，脱脂綿，紙などで構成してもよい。このように、清掃部材５を備えた清掃ヘッド２は使い捨て可能に構成されている。
【００３１】
前記グリップ６は、廃液吸引管４が接続可能な第１のケース57と、洗浄液供給管３が接続可能な第２のケース58と、第１のケース57と第２のケース58を開閉自在に連結するヒンジ部59と、ヒンジ部59に対向し第１のケース57と第２のケース部58を係止するロック手段60で構成されている。
【００３２】
前記第１のケース57は、中空な舟型で一側に開口部61を有し吸引チューブ９が収容可能な第１の収容空間62を備えた第１のケース本体63と、第１のケース本体63の先端に設けられた廃液吸引管接続部64から構成されている。廃液吸引管接続部64は、第１のケース本体63の長手方向に沿って外部と第１の収容空間62とを連通するように外部側開口部64ａと収容空間側開口部64ｂとを備え、第１のケース本体63の先端に挿嵌された金属製の管材である。また、第１のケース本体63の先端面63ａには、この廃液吸引管接続部64を中心として平行に立設された立壁部65,65が形成されている。
【００３３】
前記第２のケース58は、第１のケース本体63と互いに開口部61,66側が対向するように形成された中空な舟型であり、注水チューブ８及び信号線10が収容可能な第２の収容空間67を備えた第２のケース本体68と、第２のケース本体68の先端に設けられた洗浄液供給接続部69から構成されている。洗浄液供給管接続部69は、第２のケース本体68の長手方向に沿って外部と第２の収容空間67とを連通するように外部側開口部69ａと収容空間側開口部69ｂとを備え、第２のケース本体68の先端に対し挿嵌された金属製の管材である。さらに、洗浄液供給管接続部69の外部側開口部69ａは第２のケース本体68の長手方向と直交する向きに形成されたものである。この外部側開口部69ａの内径を洗浄液供給管３の基端側開口部３ｂの外径より大きく形成し、その外部側開口部69ａの内周面に合成樹脂又はゴム材から形成された環状体たるシール部材71が洗浄液供給管接続部69と連通するように嵌挿されている。また、第２のケース本体68における先端側の側部には、注水スイッチ７が着脱自在に設けられている。さらに、第１のケース57と第２のケース58には、第１のケース本体63の一端側に形成された位置合せ用凹部72と、この凹部72に係合可能な位置合せ用凸部73とがそれぞれ形成されている。
【００３４】
このように、グリップ６の廃液吸引管接続部64における外部側開口部64ａ及び洗浄液供給管接続部69における外部側開口部69ａはそれぞれ、第１のケース本体63の先端面63ａ及び後述する第２のケース本体68の先端面76に対し個別に設けられたものである。そして、グリップ６の廃液吸引管接続部64における外部側開口部64ａ及び洗浄液供給管接続部69における外部側開口部69ａは、第１のケース本体63の先端面63ａ又は第２のケース本体68の先端面76に対し同時に設けられることはない。さらに、第１のケース本体63又は第２のケース本体68に対し同時に設けられることなく構成し、洗浄液供給管接続部69の外部側開口部69ａと廃液吸引管接続部64の外部側開口部64ａとは、同一平面又は連続面に設けられていないものである。その上、後段にて説明するヒンジ部59により、グリップ６の廃液吸引管接続部64における外部側開口部64ａ及び洗浄液供給管接続部69における外部側開口部69ａは離間可能に設けられる。
【００３５】
前記ヒンジ部59は、第１のケース57と第２のケース58とを回動自在に軸支する軸74と、この軸74に遊嵌され第１のケース57と第２のケース58を開方向へと付勢力を与える弾性部材たるねじりコイルばね75とからなる。また、前記ヒンジ部59は、第１のケース57と第２のケース58とを９０度の範囲に開閉可能に連結するものである。
【００３６】
前記ロック手段60は、廃液吸引管接続部64を軸として回動自在に設けられたロックプレートである。このロックプレート60は、第２のケース本体68の先端面76に対し平行に回動自在に設けられている。さらに、ロックプレート60には洗浄液供給管接続管69の外周面に対し係止可能な溝部77を備えている。
【００３７】
前記注水スイッチ７は、操作ボタン79を備えたスイッチ本体80と、スイッチ本体80を内部に収容するとともに前記第２のケース本体68における外郭の一部を成すように着脱自在に設けられたスイッチケース82とからなる。スイッチケース82は、操作ボタン79を外部から押圧可能とする貫通部81を備え、貫通部81は、樹脂製のシート83によりシールされている。また、スイッチケース82と第２のケース本体68との接続部分には、第１の係止手段84と第２の係止手段85とが形成されている。第１の係止手段84は、第２のケース本体68の一端側にグリップ６の外方に向けて形成された第１の係止用凸部86と、この第１の係止用凸部86と嵌合可能に形成されたスイッチケース82の第１の係止用凹部87とからなる。一方、第２の係止手段85は、スイッチケース82の一側先端に形成された爪部88と、この爪部88と係合可能に形成された第２のケース本体68における第２の係止用凹部89とからなる。
【００３８】
さらに、第２のケース本体68における清掃ヘッド接続面76の注水スイッチ側端には、円弧状に切欠いて形成された溝部90が設けられている。この溝部90は、第１のケース57と第２のケース58とを閉じ、前記ロックプレート60を洗浄液供給管接続部69に係止させた状態では、ロックプレート60によって被覆されるように形成されている。
【００３９】
また、第１のケース本体63における第１の収容空間62で廃液吸引管接続部64の収容空間側開口部64ｂに吸引チューブ９の一端を接続し、第１のケース本体63の基端側より吸引チューブ９の他端を出して、この第１のケース本体63の開口部61に第１のカバー部材92を嵌合させて第１の収容空間62を閉塞している。
【００４０】
また、第２のケース本体68における第２の収容空間67で洗浄液供給管接続部69の内側開口部69ｂに注水チューブ８の一端を接続し、第２のケース本体68の基端側より注水チューブ８及び信号線10の他端側を出して、この第２のケース本体68の開口部66に第２のカバー部材94を嵌合させて第２の収容空間67を閉塞している。
【００４１】
つぎに、上記構成についてその作用を説明する。まず、第１の洗浄液用カップ17に口腔用の洗浄液を入れ、給水チューブ16を挿入し、注水チューブ８，８’，吸引チューブ９，９’，信号線10，接続端子11，給水チューブ16，吸引ポンプ接続コネクタ21，液量検知手段の接続部23，液量検知接続線26などが所定の位置に接続されていることを確認する。
【００４２】
グリップ６に清掃ヘッド２を装着する。ここでグリップ６に清掃ヘッド２を装着する手順について説明するが、ここでは予めグリップ６の第１のケース57と第２のケース58を開いた状態としている。グリップ６に清掃ヘッド２を装着する前に、注水スイッチ７が第１の係合手段84と第２の係合手段85によりグリップ６の第１のケース57に係合されているか確認しておく。続いて、グリップ６の廃液吸引管接続部64に対し清掃ヘッド２の廃液吸引管４の基端側開口部４ｂを外嵌させる。このとき、清掃ヘッド２はグリップ６の第１のケース57に対し、清掃ヘッド２の回り止め部56が立壁部65,65により挟持されることにより、回転不能な状態で位置決めされる。次に、グリップ６の第１のケース57と第２のケース58を閉じて、清掃ヘッド２の洗浄液供給管３の基端側開口部３ｂ側をグリップ６の第２のケース58に設けられた洗浄液供給管接続部69の外部側開口部69ａに対しシール部材71に当接するまで挿入し、最後にロックプレート60を洗浄液供給管接続部69に係止させてグリップ６を閉状態に固定し、清掃ヘッド２の装着が完了する。このとき、ロックプレート60により、溝90が人の指が触れないように被覆されている為、グリップ６に清掃ヘッド２が装着された状態では、注水スイッチ７の取り外しができないように設けられている。
【００４３】
次に、主電源スイッチを入れ、次いで運転始動ボタン30を押し運転中表示ＬＥＤ32が点灯していることを確認する。そして、グリップ６の注水スイッチ７を押すと清掃へッド２の先端から洗浄液が出て、注水スイッチ７を離すと洗浄液が止まることを確認する。このとき、注水スイッチ７のオン・オフの信号は信号線10を介して図示しない制御手段に伝わり、制御手段は注水スイッチ７のオン・オフの信号に応じて洗浄液供給ポンプ15を動作・停止させる。洗浄液供給ポンプ15が動作すると、第１の洗浄液用カップ17の洗浄液が給水チューブ16，洗浄液供給ポンプ15，注水チューブ８’，８，グリップ６，洗浄液供給管３の順で送られ、最後に先端側開口部３ａから清掃部材５の内部に供給される。そして、清掃部材５から洗浄液が滲み出す。また、必要に応じて注水量選択ボタン38，39，40を押すことによって、洗浄液の供給量を調節することができる。
【００４４】
また、適当な容器に洗浄液を出すと同時に、その溜まった洗浄液を清掃へッド２の先端から吸引できることを確認する。図示しない吸引ポンプは常時動作しており、廃液吸引管４の先端側開口部４ａから廃液は廃液吸引管４，グリップ６，吸引チューブ９を通って廃液用ボトル19に導かれる。
【００４５】
また、逆止弁36に設けられたスリット孔36ｃにより、グリップ６側から送られてくる廃液は、スリット孔36ｃを押し広げて蓋20側へと流れることができるが、蓋20側からの廃液はスリット孔36ｃを押し広げて逆止弁36を通過することができないため、吸引チューブ９内の廃液が蓋20からグリップ６へと流れないように設けられている。さらに、廃液吸引管４の先端側開口部４ａから吸引された空気は、廃液用ボトル19から吸引チューブ９’を経て吸引ポンプから外へ排気される。この排気された空気は吸引ポンプの吸気側に設けられたエアフィルタ27を通過することによって細菌等の拡散を防止されるとともに、廃液用ボトル19から本体１内に吸引される空気に含まれる異物が吸引ポンプ内にとり込まれる前にエアフィルタ27により捕捉される。なお、エアフィルタ27は、図示しないフィルタ本体を交換可能に設けているため、フィルタ本体が汚れた段階で、別の新しいフィルタ本体に交換する。また、吸引管路の詰まりは図示しない風量センサにより監視され、制御手段はその信号をもとに、廃液吸引ポンプにより吸引が正常に行なわれているときに吸引中表示ＬＥＤ33を点灯させ、風量検知の値が設定範囲外の値になった吸引異常時には吸引経路のどこかに閉塞状態が発生している場合を想定し、吸引異常時点灯ＬＥＤ35を点滅させ、警告ブザーが断続的に鳴る。さらに、警告ブザーが断続的に鳴った状態が継続した場合、警告ブザーが連続的に鳴り、同時に注水が停止する。さらに、警告ブザーが連続的に鳴った状態が継続した場合には、口腔粘膜に吸引し続けている場合を想定し、口腔粘膜を保護するために、吸引ポンプが停止する。また、制御手段は廃液用ボトル19の廃液が満杯になったことを検知すると、廃液満杯時点灯ＬＥＤ34を点灯させるとともに、警告ブザーが鳴り、吸引ポンプと洗浄液供給ポンプ15を停止させ、注水スイッチ７を押しても洗浄液供給ポンプ15は動作しないが、緊急時の操作として注水スイッチ７を押した場合、吸引ポンプのみが動作する。
【００４６】
口腔洗浄を行う際には、まず清掃部材５が湿る程度に注水し、その後、口腔洗浄を行う。洗浄液で湿った清掃部材５はやわらかく、口腔内の粘膜を傷つけることなく口腔内を拭き洗浄できる。また、口腔内の痰や異物は、口腔内の廃液とともに、清掃部材５の端部から外部に開口した廃液吸引管４の先端側開口部４ａから吸引される。また、廃液吸引管４の先端側開口部４ａが清掃部材５の先端部５ａよりも清掃部材５の内部側に位置しているので、清掃部材５の先端部５ａが直接口腔内に接して口腔内を傷つけたり、痛みを感じさせたりすることがない。
【００４７】
さらに、口腔洗浄を行う際に患者の口腔内から溢れ出た廃液は、清掃ヘッド２の外面を伝い落ちてくるが、清掃ヘッド２の柄に設けられた障壁55により、廃液が遮蔽され清掃ヘッド２とグリップ６との接続箇所である洗浄液供給管３の基端側開口部３ｂと洗浄液供給管接続部69の外部側開口部69ａと間に廃液が流れ込むことはない。
【００４８】
口腔洗浄終了後、グリップ６から清掃ヘッド２を取り外し、使用後の清掃ヘッド２は廃棄する。
【００４９】
また、患者毎にグリップ６を洗浄する際は、グリップ６を開状態に固定し、第２の洗浄液用カップ18内の装置用洗浄液に廃液吸引管接続部64の外部側開口部64ａを浸けて、グリップ６の廃液吸引管接続部64から洗浄液を吸込ませ、吸引チューブ９内を洗浄する。その後、第１の洗浄液用カップ17及び第２の洗浄液用カップ18は収納部45から取り外して廃棄し、廃液用ボトル19は収納部45から取り外して洗浄する。
【００５０】
そして、最終的に口腔洗浄器を片付ける際には、図６のようにグリップ６から注水スイッチ７を離し、十分に注水スイッチ７に水分がかからない状態にしてから、グリップ６を薬液に浸漬させて、グリップ６の殺菌、消毒を行う。
【００５１】
また、使用後のグリップ６は、ホルダー12に対しヒンジ部60を引掛け、各接続部64,69が下になるように吊下げて保持しておく。最後に収納部45にカバー部材46を装着し口腔洗浄器１を保管する。この場合、収納部45とカバー部材46は、図８に示すように互いに着脱自在に設けられた磁性部材45ａ,46ａからなる固定手段により固定する。
【００５２】
また、グリップ６、注水チューブ８,８’、吸引チューブ９,９’、給水チューブ16、第１の洗浄液用カップ17、第２の洗浄液用カップ18、廃液用ボトル19は、それらを一式のセットとして取り扱う。前記セットを、複数の患者に対しそれぞれ個別に用意し、各患者毎に前記セットを取替えて口腔洗浄を行う。
【００５３】
なお、図９に示すように、洗浄液供給ポンプ15は、円弧状又はほぼ円弧状の内周壁15ａを備えたポンプケース15ｂと、このポンプケース15ｂの内周壁15ａの中心部に設けられた駆動軸15ｃと、この駆動軸15ｃを回転駆動する図示しないモータと、駆動軸15ｃに回転自在に軸支されたローラ15ｄと有している。ローラ15ｄは、ポンプケース15ｂの内周壁15ａに沿うように、駆動軸15ｃに取付けた円盤状のローラ取付板15ｅの周縁部に回転可能に設けられている。さらにポンプケース15ｂには、ローラ15ｄにより局部的に押圧される弾性チューブ15ｆとを備えている。弾性チューブ15ｆの一側には、注水チューブ８’が接続されるとともに、他側には給水チューブ16が接続されている。
【００５４】
この洗浄液供給ポンプ15は、弾性チューブ15ｆを内周壁15ａに沿わせてポンプケース15ｂに配設し、ローラ15ｄによって内周壁15ａに押し付けながら駆動軸15ｃを回転駆動させることにより、第１の洗浄液用カップ17の洗浄液を清掃ヘッド２へと送液するようになっている。ローラ15ｄの取付個数は、常に弾性チューブ15ｆを１つ以上のローラ15ｅが局部的に押圧していればよく、特に限定されるものではない。
【００５５】
また、洗浄液供給ポンプ15の変形例として、図10（Ａ）に示すように、この洗浄液供給ポンプ15は、弾性チューブ15ｆの上部に配置され、弾性チューブ15ｆを押圧するローラ15ｄと、ループ軌道15ｇ上にローラを搬送する搬送手段15ｈと、弾性チューブ15ｆを下側から支持する支持部材15ｊとを備えており、支持部材15ｊは一端部を片持ち状態で水平方向から下方へと揺動自在に備えられている。支持部材15ｊは図示しない固定手段により水平方向と平行に固定可能に設けられており、水平方向に固定された支持部材15ｊにより弾性チューブ15ｆは水平に支持されている。また、ループ軌道15ｇ上には、支持部材15ｊによって水平に支持された弾性チューブ15ｆに添ってローラ15ｄを水平に移動させる直線軌道部15ｋが形成されている。また、図10（Ｂ）に示すように洗浄液供給ポンプ15には、一端に注水チューブ８’が接続されるとともに、他端に給水チューブ16が接続された弾性チューブ15ｆを用いずとも、注水チューブ８’をそのまま第１の洗浄液用カップ17に接続し、注水チューブ８’の途中に洗浄液供給ポンプ15を装着してもよい。そして、この洗浄液供給ポンプ15によると、支持手段15ｊが水平方向から下方へと揺動可能に設けられたことで、洗浄液供給ポンプ15への弾性チューブ15ｆの装着及び解除に係る操作が簡単になり、これにより、洗浄液供給ポンプ15を装着する為に、専用の弾性チューブ15ｆを用いずとも注水チューブ８’にそのまま洗浄液供給ポンプ15を装着させることが可能となる。このことは、口腔洗浄器の構成から注水チューブ８’及び給水チューブ16を外すことで、口腔洗浄器に係る部品点数を削減させるとともに、グリップ６、注水チューブ８、吸引チューブ９,９’、第１の洗浄液用カップ17、第２の洗浄液用カップ18、廃液用ボトル19を一式のセットとして取り扱い、前記セットを、複数の患者に対しそれぞれ個別に用意し、各患者毎に前記セットを取替えて口腔洗浄を行う場合に、交換にかかる作業の繁雑さを解消させることができる。
【００５６】
以上のように本実施例では、洗浄液を口腔内へ供給する洗浄液供給管３と、廃液を口腔内から吸引する廃液吸引管４とを有する清掃ヘッド２を備えた口腔洗浄器において、前記洗浄液供給管３へ接続する洗浄液供給管接続部69と前記廃液吸引管４へ接続する廃液吸引管接続部64とを有するグリップ６と、前記清掃ヘッド２の先端部に設ける清掃部材５とを備え、前記洗浄液供給管接続部端部69aと前記廃液吸引管接続部端部64aとを同一平面外又は非連続面に設けたものである。
【００５７】
この場合、グリップ６の洗浄液供給管接続部端部69ａと廃液吸引管接続部端部64ａを同一面上にない位置に配置し、グリップ６を伝って吸引液が洗浄液供給管接続部端部69ａに接しない構造にしたため、洗浄液供給管接続部端部69ａの汚染防止ができ、清掃ヘッド２の着脱の際には、雑菌を含んだ吸引液がグリップ６の洗浄液供給管接続部端部69ａに接して注水液を汚染し、複数の患者に対して口腔洗浄を行う際に、前の患者の菌が次の患者の注水液を介して感染することなく、交差感染をひき起こす可能性を低減させ、衛生上の安全性を十分に確保することが可能である。
【００５８】
また、本実施例では、前記洗浄液供給管接続部端部69ａと前記廃液吸引管接続部端部64ａとの位置関係が可動なものである。
【００５９】
この場合、グリップ６の洗浄液供給管接続部端部69ａと廃液吸引管接続部端部64ａは可動式でその位置関係を遠ざける方向に離すことができる構造なので、グリップ６の洗浄時に汚れた廃液吸引管接続部端部64ａを洗浄する際に近傍にある洗浄液供給管接続部端部69ａに作業者の手や洗浄液や清掃具が接する事なく、洗浄液供給管接続部端部69ａを衛生的に保つ事ができるため、複数の患者に対して口腔洗浄を行う際に前の患者の菌が次の患者の注水液を介して感染する交差感染をひき起こす可能性を低減させ、衛生上の安全性を十分に確保することが可能である。
【００６０】
さらに、本実施例では、前記清掃ヘッド２に、口腔洗浄中の廃液が前記洗浄液供給管接続部端部69ａに伝わることを防ぐ障壁55を備えたものである。
【００６１】
この場合、清掃ヘッド２に障壁55が設けられているため、口腔洗浄中に清掃ヘッド２の柄を伝わってくる汚れた液体が、グリップ６の洗浄液供給管接続部端部69ａに達しないため、洗浄液供給管接続部端部69ａを衛生的に保つ事ができ、複数の患者に対して口腔洗浄を行う際に前の患者の菌が次の患者に注水液を介して感染する、交差感染を引き起こす可能性を低減させ、衛生上の安全性を十分に確保することが可能である。
【００６２】
また、本実施例では、前記グリップ６に注水スイッチ７を備え、該注水スイッチ７を前記グリップ６に着脱可能に設けたものである。
【００６３】
この場合、グリップ６は電気部品である注水スイッチ７が着脱可能な構造であるためグリップ６全体を洗浄又は消毒する際に薬液に浸透させて洗浄、殺菌が容易に行うことが可能である。
【００６４】
さらに、清掃ヘッド２の着脱方法を清掃ヘッド２の廃液吸引管４をグリップ６の廃液吸引管接続部64に嵌合させた後で、上方から可動なグリップ６の洗浄液供給管接続部69の外部側開口部69ａに挿嵌されたシール部材71を清掃ヘッド２の洗浄供給管３の他端に押し当ててロックプレート60で係止する構造としてことで、取付けが簡単に装着でき、外す際にも、女性が大きな力を必要とせず、捻じったりして抜く動作がないため容易に着脱が可能である。
【００６５】
また、本実施例では、清掃へッド２の先端部に清掃部材５が一体に固定されているので、清掃部材５が外れて飲み込むなどの危険性がなく、清掃部材５に触れずに着脱可能なので衛生的である。また、注水チューブ８，８’や吸引チューブ９，９’などが本体１の外部に取り付けられているため、チューブ内の汚れを確認でき取り替えが容易である。さらに、廃液吸引管４の先端側開口部４ａは、基端側開口部４ｂより広径な貫通口を形成しているので、吸引効果が向上し、口腔内の痰や異物を確実に吸引できる。蓋20に接続される液量検知手段の接続部23や吸引ポンプ接続コネクタ21などの接続口は差込式であるので、容易に着脱可能であり作業時間を短縮することができる。
【００６６】
さらに、本実施例上の効果として、グリップ６、注水チューブ８,８’、吸引チューブ９,９’、給水チューブ16、第１の洗浄液用カップ17、第２の洗浄液用カップ18、廃液用ボトル19は、それらを一式のセットとして取り扱う。前記セットを、複数の患者に対しそれぞれ個別に用意し、各患者毎に前記セットを取替えて洗浄作業を行うことにより、廃液より感染が予想される交差感染に対し、口腔洗浄器における洗浄液及び廃液等の水回りに関る装置・部品をすべて交換可能とし、複数の患者に対して口腔洗浄を行う際に前の患者の菌が次の患者の注水液を介して感染する交差感染をひき起こす可能性を低減させ、衛生上の安全性を十分に確保することが可能である。
【００６７】
さらに、吸引ポンプの吸気側にエアフィルタ27を設けたことにより、廃液用ボトル19から本体１内に吸引される空気に混ざってくる異物や、患者の口腔内にあった雑菌が吸引ポンプ内にとり込まれる前にエアフィルタ27によって捕捉され、吸引ポンプのメンテナンスを容易にすることができる。
【実施例２】
【００６８】
次に本発明の第２実施例を図11乃至図12により説明するが、上述の第１実施例の形態と同一または同様の部材や部品には同一の符号を用いてその説明を省略する。
【００６９】
図11に示す本実施例による廃液用ボトル97は、吸引チューブ９により、グリップ６の基端側から逆止弁36を中間に介して廃液を貯蔵する廃液用ボトル97の蓋98へ接続され、吸引チューブ９’により、廃液用ボトル97の蓋98から口腔洗浄器本体１へ接続される。そして、蓋98を廃液用ボトル97へ嵌合させることによって、廃液用ボトル97の気密性が保たれるようになっている。また、蓋98には、本体１内に設けられた吸引ポンプに対し本体１の一面に備えられたエアフィルタ27を介して接続する吸引ポンプ接続コネクタ21と、蓋98の開閉を容易に行うための把手部98ａとが設けられている。さらにボトル97内部の廃液がある一定の液面に到達すると吸引チューブ９’と蓋98との流路を閉塞するフロート式の逆止弁99と、廃液用ボトル97の内部に収容され廃液を捕集可能な使い捨ての樹脂製のバッグ100とを備えている。
【００７０】
そして、本体１の上面に設けられた操作パネル29には、運転を始動するための運転始動ボタン30と、運転を停止するための運転停止ボタン31と、運転が正常に行われているときに点灯する運転中表示ＬＥＤ32と、廃液吸引ポンプにより吸引が正常に行なわれているときに点灯する吸引中表示ＬＥＤ33と、吸引異常時に点灯する吸引異常時点灯ＬＥＤ35と、洗浄液供給ポンプ15の注水量を選択するための注水液量（少）選択ボタン38，注水液量（中）選択ボタン39，注水液量（多）選択ボタン40と、洗浄液供給ポンプ15により洗浄液送出が最小値に設定されたときに点灯する注水量（少）表示ＬＥＤ41，中位に設定されたときに点灯する注水量（中）表示ＬＥＤ42，最大値に設定されたときに点灯する注水量（多）表示ＬＥＤ43とが設けられている。
【００７１】
以上の本実施例の構成について作用を述べると、吸引管路の詰まりは図示しない風量センサにより監視され、制御手段はその信号をもとに、廃液吸引ポンプにより吸引が正常に行なわれているときに吸引中表示ＬＥＤ33を点灯させる。
【００７２】
ここで、本実施例における吸引異常時点灯ＬＥＤ35の作用について説明すると、吸引経路のどこかに閉塞状態が発生している場合や、廃液用ボトル97内部の廃液が一定の液面に到達し吸引チューブ９’と蓋98との流路が逆止弁99により閉塞状態となる場合には、風量検知の値が設定範囲外の値になった吸引異常時となる。その吸引異常時には、前記の場合を想定している制御手段が、吸引異常時点灯ＬＥＤ35を点滅させ、警告ブザーが断続的に鳴る。さらに、警告ブザーが断続的に鳴った状態が継続した場合、警告ブザーが連続的に鳴り、同時に注水が停止する。さらに、警告ブザーが連続的に鳴った状態が継続した場合には、口腔粘膜に吸引し続けている場合を想定し、口腔粘膜を保護するために、吸引ポンプが停止する。また、制御手段は吸引異常時を検知すると、吸引異常時点灯ＬＥＤ35を点灯させるとともに、警告ブザーが鳴り、吸引ポンプと洗浄液供給ポンプ15を停止させ、注水スイッチ７を押しても洗浄液供給ポンプ15は動作しないが、緊急時の操作として注水スイッチ７を押した場合、吸引ポンプのみが動作する。
【００７３】
また、廃液が一定量（満杯）となった廃液用ボトル97は、内部の樹脂製バッグ100を取り出し、その樹脂製バッグ100を処分する。そして、次の使用に備え新しい樹脂製バッグ100を廃液用ボトル97に取付ける。
【００７４】
また、本実施例の変形例として、図12に示すように、廃液用ボトル101を口腔洗浄器本体１に対し交換可能としたものであり、ボトル101内部の廃液が一定の液面に到達すると吸引チューブ９’と蓋102との流路を閉塞するフロート式の逆止弁103を備えたものとする。このように、ボトル101内部に直接廃液を溜めていき、ボトル101内の廃液の液面が一定以上となったら、フロート式の逆止弁103が吸引チューブ９’と蓋102との流路を閉塞し、吸引異常時点灯ＬＥＤ35を点灯させて、吸引ポンプを停止させる。
【００７５】
また、廃液が一定量（満杯）となった廃液用ボトル101は、洗浄して次に使用する。
【００７６】
本実施例において、これら樹脂製バッグ100又は廃液用ボトル101は、複数の患者に対しそれぞれ個別に用意し、各患者毎に樹脂製バッグ100又は廃液用ボトル101を取替えて口腔洗浄を行う。
【００７７】
本実施例の効果として、樹脂製バッグ100又は廃液用ボトル101を複数の患者に対しそれぞれ個別に用意し、各患者毎に樹脂製バッグ100又は廃液用ボトル101を取替えて口腔洗浄を行うことにより、廃液より感染が予想される交差感染に対し、複数の患者に対して口腔洗浄を行う際に前の患者の菌が次の患者の注水液を介して感染する交差感染をひき起こす可能性を低減させ、衛生上の安全性を十分に確保することが可能である。
【００７８】
なお、本発明は上記各実施例に限定されるものではなく、種々の変形実施が可能である。また、例えば、本実施例ではグリップ６の第１のケース57と第２のケース58とをヒンジ部59により開閉自在なものとしたが、第１のケース57と第２のケース58とをスライド式に分割可能なものとしてもよい。また、本実施例では洗浄液供給管接続部69の外部側開口部69ａの向きをグリップ６における第２のケース58の長手方向と直交する方向に限らず、長手方向に沿った向きでもその他の向きとしてもよい。さらに、清掃部材５のスポンジの形状は直方体形状に限らず、球状やその他の形状に形成してもよい。また、清掃ヘッド２の変形例としては、清掃ヘッド２の洗浄液供給管３における先端側開口部３ａ周辺にブラシの毛を植毛し、清掃ヘッド２を歯ブラシ形状としたものでもよく、清掃ヘッドを歯ブラシ形状とすることで口腔内細菌が繁殖し易い歯垢等の汚れを掻き出すことができる。また、清掃ヘッド２の他の変形例としては、清掃ヘッド２の洗浄液供給管３における先端側開口部３ａ周辺にブラシの毛が植毛されるとともに、そのブラシの毛の周囲にスポンジが設けられたものでもよく、これにより、ブラシの毛の部分で歯垢等の汚れを掻き出すことができるとともに、スポンジの部分で口腔内の粘膜を傷つけることなく口腔内を拭き洗浄することができる。また、上記の清掃ヘッド２の各変形例においても使い捨て可能に構成されている。
【図面の簡単な説明】
【００７９】
【図１】本発明の第１実施例を示す口腔洗浄器の全体斜視図である。
【図２】同上清掃ヘッドおよびグリップの断面図である。
【図３】同上清掃ヘッドおよびグリップの開いた状態を示す斜視図である。
【図４】図３においてグリップから清掃ヘッドを取り外した状態を示す斜視図である。
【図５】図２においてグリップを開いた状態を示す断面図である。
【図６】図５においてグリップから清掃ヘッドと注水スイッチを取り外した状態を示す断面図である。
【図７】本発明における吸引チューブに設けられた逆止弁を示す断面図である。
【図８】本発明の第１実施例を示す口腔洗浄器にカバー部材を装着した収納状態を示す全体斜視図である。
【図９】本発明の口腔洗浄器における洗浄液供給ポンプを示す断面図である。
【図１０】本発明の洗浄液供給ポンプにおける他の変形例を示し、図10（Ａ）は同上洗浄液供給ポンプを弾性チューブに装着した状態を示す概略図であり、図10（Ｂ）は同上洗浄液供給ポンプを注水チューブに装着した状態を示す概略図である。
【図１１】本発明の第２実施例を示す口腔洗浄器の全体斜視図である。
【図１２】同上廃液用ボトルの変形例を示す口腔洗浄器の全体斜視図である。
【符号の説明】
【００８０】
２  清掃ヘッド
３  洗浄液供給管
４  廃液吸引管
５  清掃部材
６  グリップ
７  注水スイッチ
55  障壁
64  廃液吸引管接続部
69  洗浄液供給管接続部
64ａ  外部側開口部（廃液吸引管接続部）
69ａ  外部側開口部（洗浄液供給管接続部）
【図１】
2008119147.tif 000003
【図２】
2008119147.tif 000004
【図３】
2008119147.tif 000005
【図４】
2008119147.tif 000006
【図５】
2008119147.tif 000007
【図６】
2008119147.tif 000008
【図７】
2008119147.tif 000009
【図８】
2008119147.tif 000010
【図９】
2008119147.tif 000011
【図１０】
2008119147.tif 000012
【図１１】
2008119147.tif 000013
【図１２】
2008119147.tif 000014